(57)【要約】【課題】施工性および輸送性に優れ、隣接して設置される吊戸棚との水平位置合わせが容易にする。【解決手段】下方に開放した箱体１のひとつの面に排気口２を有し、前記箱体１に送風用ファンモータを取り付けて送風ユニット３とし、前記送風ユニット３を上面に開口４を有するフード５に対して、下側から取り付けたことを特徴とするレンジフードを構成してフード５と送風ユニット３は、施工時に上下に分離できる構成のレンジフードを提供する。【選択図】図１
2008196802.tif 000002
【特許請求の範囲】
【請求項１】
下方に開放した箱体のひとつの面に排気口を有し、前記箱体に送風用ファンモータを取り付けて送風ユニットとし、前記送風ユニットを上面に開口を有するフードに対して、下側から取り付けたことを特徴とするレンジフード。
【請求項２】
箱体の下方の開放にフランジを設け、フードの上面の開口へフード下面側から送風ユニットを挿入し、前記フランジ部分にて取り付けることを特徴とする請求項１記載のレンジフード。
【請求項３】
フード上面の開口からフードの外側へ向けて突出部を設けて送風ユニットを案内することを特徴とする請求項１または２記載のレンジフード。
【請求項４】
送風用ファンの真下に位置する箇所にフィルターを取り付ける開口を有した皿形状の受け部が、箱体の下面の開口部分を覆うとともに着脱自在に取り付けて前記箱体と一体とした送風機ユニットを構成した請求項１から３のいずれかに記載のレンジフード。
【発明の詳細な説明】
【技術分野】
【０００１】
本発明は、レンジフードに関するものである。
【背景技術】
【０００２】
従来より、レンジフードは調理で発生する油煙や蒸気を効率よく排気するためにフード本体を大きくして発生した油煙を捉える構造であった（例えば、特許文献１参照）。
【特許文献１】特開平９−２６９１４３号公報（第４頁、第１図）
【発明の開示】
【発明が解決しようとする課題】
【０００３】
従来、レンジフードは排気性能を確保する目的でフード本体が大きく設計されている。この大柄なフードを容易に施工する目的でファンユニットを内蔵するフードと化粧パネルを分離した構造のものがあるが、フードの内側にファンユニットを取り付ける構造であるためにフードが大きく、レンジフード自体が重く、レンジフード本体を施工する際に隣接して設置される吊戸棚との水平位置合わせが難しいという課題がある。
【０００４】
本発明は、施工性および輸送性に優れ、隣接して設置される吊戸棚との水平位置合わせが容易になるレンジフードを提供することを目的とする。
【課題を解決するための手段】
【０００５】
本発明のレンジフードは、下方に開放した箱体のひとつの面に排気口を有し、前記箱体に送風用ファンモータを取り付けて送風ユニットとし、前記送風ユニットを上面に開口を有するフードに対して、下側から取り付けたことを特徴とするものである。
【０００６】
この手段により、フードを薄型にすることで軽量となり、フード単体で壁に施工することができるレンジフードが得られる。
【０００７】
また、箱体の下方の開口にフランジを設け、フードの上面の開口へフード下面側から送風ユニットを挿入し、前記フランジ部分にて取り付けることを特徴とするものである。
【０００８】
この手段により、フードに送風ユニットを容易に取り付けることができるレンジフードが得られる。
【０００９】
また、フード上面の開口からフードの外側へ向けて突出部を設けて送風ユニットを案内することを特徴とするものである。
【００１０】
この手段により、薄型にしたフードの強度を確保するとともに上面開口へ送風ユニットを確実に案内して挿入することができるレンジフードが得られる。
【００１１】
また、他の手段は、送風用ファンの真下に位置する箇所にフィルターを取り付ける開口を有した皿形状の受け部が、箱体の下面の開口部分を覆うとともに着脱自在に取り付けて前記箱体と一体とした送風ユニットを構成したものである。
【００１２】
この手段により、前記受け部を外した送風ユニットを壁にネジで固定することができ、送風ユニットの自重を壁に掛けるとともに下側から施工及び分離ができるレンジフードが得られる。
【発明の効果】
【００１３】
本発明のレンジフードによれば、下方に開放した箱体のひとつの面に排気口を有し、前記箱体に送風用ファンモータを取り付けて送風ユニットとし、前記送風ユニットを上面に開口を有するフードに対して、下側から取り付けたことを特徴し、フードと送風ユニットを上下に分離した構成とすることで、フードを薄型にすることで軽量となり、フード単体で壁に施工することができるという効果のあるレンジフードを提供することができる。
【発明を実施するための最良の形態】
【００１４】
本発明の請求項１記載のレンジフードは、下方に開放した箱体のひとつの面に排気口を有し、前記箱体に送風用ファンモータを取り付けて送風ユニットとし、前記送風ユニットを上面に開口を有するフードに対して、下側から取り付けたことを特徴とするレンジフードであって、フードと送風ユニットを上下に分離できるという作用を有する。
【００１５】
また、箱体の下方の開口にフランジを設け、フードの上面の開口へフード下面側から送風ユニットを挿入し、前記フランジ部分にて取り付けることを特徴とするレンジフードであって、フードに送風ユニットを容易に取り付けることができるという作用を有する。
【００１６】
また、フード上面の開口からフードの外側へ向けて突出部を設けて送風ユニットを案内することを特徴とするレンジフードであって、薄型にしたフードの強度を確保するとともに上面開口へ送風ユニットを確実に案内して挿入することができるという作用を有する。
【００１７】
また、送風用ファンの真下に位置する箇所にフィルターを取り付ける開口を有した皿形状の受け部が、箱体の下面の開口部分を覆うとともに着脱自在に取り付けて前記箱体と一体とした送風ユニットを構成するものであって、皿形状の受け部を外すことで壁に送風ユニットを固定することができるという作用を有する。
【００１８】
以下、本発明の実施の形態について図面を参照しながら説明する。
【００１９】
（実施の形態１）
図１および図２に示すように、下方に開放し上面に開口を有した薄型の箱体形状のフード５は、取り付け時に壁側（壁は図示していない）に位置させるようにした側面に壁へ固定する為のネジ孔１６を設け、ネジ１７で壁に固定できるようになっている。また、前記フード５上面の開口４は、フード５の内側から外側へ向けてきり起こした突出部１８を有し、外側へ向けて形成したものである。そして、下方に開放し、その開口の外側へ突出したフランジ部１５を有する箱体１のひとつの面に排気口２を有し、前記箱体１に送風用ファンモータを取り付けて送風ユニット３とし、前記送風ユニット３をフード５の上面の開口４へ挿入し、フード５に対して、フランジ部１５で下側から取り付けるよう構成されている。
【００２０】
送風ユニット３をフード５下側から取り付ける構成は、送風ユニット外周のフランジ部１５に大小の孔をつなげたダルマ形状の孔１４を設け、フード５には前述の孔１４の小さい方の円の中心の真上に位置する所にネジ頭の大きさが前述の小の直径より大きく且つ大の直径より小さいネジ１３を僅かに緩めた状態で予め取り付けておくものであり、このネジ１３に合わせて送風ユニットを引っ掛けて壁方向に水平にスライドさせた後にネジ１３を締めて送風ユニット３をフード５に固定するものである。
【００２１】
上記構成により、送風ユニット３は、フード５の下面側から開口４へ挿入して、開口４へ設けた突出部１８に沿わせて送風ユニット３をフード５の開口４へ確実に案内することとなる。そして、フランジに設けたダルマ形状の孔１４により、送風ユニットを壁側へスライドさせてフード５を固定させることとなる。
【００２２】
フード５と送風ユニット３を上下に分離した構成となり、送風ユニット３はフード５の上面から突出して取り付けることとなり、フード５は、送風ユニット３をその内側に覆うことがなくなり、フード５は、下面側に設置した調理器具から発生した油煙を捕集する形状に対応させて薄型に構成することができ、さらに軽量化することができる。
【００２３】
また、送風ユニット３とフード５を着脱自在に上下に分離した構成とすることで、施工時には、フード５を単体で壁に施工することができる。
【００２４】
そして、軽量化したフード５を単体で施工することで、隣接する吊戸棚６に対して、その下端７の位置を水平にかつ、床面からの高さ位置を合わせることも容易にできる。その後、フード５を取り付けて、さらにあとから送風ユニット３をフード５に容易に取り付けることとなり、レンジフード本体を精度高く取り付けられるということはいうまでもない。
【００２５】
さらに、フード５と送風ユニット３を分離した構成により、１つの送風ユニットに対して、システムキッチンのデザインにあわせた複数フードを用意して、施工現場で組み合わせることも可能となる。そして、分離による小型化で輸送性の向上も図れる。
【００２６】
（実施の形態２）
図３に示すように、前記送風用ファンの真下に位置する箇所にフィルター８を取り付ける開口９を有した皿形状の受け部１０が、前記箱体１の下面の開口部分を覆うとともに着脱自在に取り付けて前記箱体と一体とした送風ユニット３を構成する。
【００２７】
前記箱体１の側面に孔１１を設け、前記孔１１を利用し壁にネジ１２で固定することで送風ユニット３の自重を壁に掛けるものである。
【００２８】
上記構成により、前記受け部１０を外すと、送風ユニット３を壁に掛けているネジ１２を外すことで送風ユニット３をフード下側から外すことができモータなどの点検や修理が容易とすることができる。
【産業上の利用可能性】
【００２９】
システムキッチンの一部として、個別に取り付けるレンジフードを容易に位置合わせして、隣接する吊戸棚等と取り付けラインの調和の取れた換気装置の提供することに適用できる。
【図面の簡単な説明】
【００３０】
【図１】本発明の実施の形態１のレンジフードの部品構成を示す斜視図
【図２】同レンジフードのフードのみを吊戸棚に合わせて施工した状態を示す斜視図
【図３】本発明の実施の形態２のレンジフードの受け部を取外した状態を示す斜視図
【図４】従来のレンジフードを示す側面構成図
【符号の説明】
【００３１】
１    箱体
２    排気口
３    送風ユニット
４    開口
５    フード
６    吊戸棚
７    下端
８    フィルター
９    開口
１０  受け部
１１  孔
１２  ネジ
１３  ネジ
１４  孔
１５  フランジ部
１６  ネジ孔
１７  ネジ
１８  突出部
【図１】
2008196802.tif 000003
【図２】
2008196802.tif 000004
【図３】
2008196802.tif 000005
【図４】
2008196802.tif 000006